(57)【要約】【課題】簡便に使用することができ、電気を使わないため使用場所を問わず、どこでも使用することができ、電気代もかからず、エコ社会の実現に資するだけでなく、低温火傷の危険性もなく、人や動物の健康回復を行うことができる健康器具を提供する。【解決手段】健康器具は、基材と、少なくとも抗酸化溶液を含むコーティング剤を用いて基材の表面および内部の少なくとも一部に形成されたコーティング層とを有する。基材は紙、布、プラスチック、ゴム、金属、セラミックス、石等である。健康器具はベッドパッド、シーツ、毛布、蒲団、枕、腹巻、腕輪、ネックレス、ペンダント、靴、スリッパ、靴の中敷き、靴下、レッグウォーマー等である。【選択図】図１
0003202895.tif 000002
【実用新案登録請求の範囲】
【請求項１】
基材と、
少なくとも抗酸化溶液を含むコーティング剤を用いて上記基材の表面および内部の少なくとも一部に形成されたコーティング層と
を有することを特徴とする健康器具。
【請求項２】
上記コーティング層は、上記抗酸化溶液と糊とを混合したコーティング剤を上記基材の表面の少なくとも一部に塗布もしくは印刷し、または、上記基材の少なくとも一部に含浸させた後、乾燥することにより形成されたものであることを特徴とする請求項１記載の健康器具。
【請求項３】
上記コーティング層は上記基材の表面の全体に形成されていることを特徴とする請求項１または２記載の健康器具。
【請求項４】
上記基材は紙、布、プラスチック、ゴム、金属、セラミックス、石またはそれらのうちの二つ以上を複合させたものであることを特徴とする請求項１〜３のいずれか一項記載の健康器具。
【請求項５】
上記基材はバンド状またはカード状の形状を有することを特徴とする請求項１〜４のいずれか一項記載の健康器具。
【請求項６】
上記バンド状の形状を有する上記基材は手、足または首に巻き付けることができるように構成されていることを特徴とする請求項５記載の健康器具。
【請求項７】
上記健康器具はベッドパッド、シーツ、毛布、蒲団、枕、腹巻、腕輪、ネックレス、ペンダント、靴、スリッパ、靴の中敷、靴下またはレッグウォーマーであることを特徴とする請求項１〜４のいずれか一項記載の健康器具。
【考案の詳細な説明】
【技術分野】
【０００１】
この考案は健康器具に関し、例えば、冷え性に悩んでいる人の健康回復に適用して好適なものである。
【背景技術】
【０００２】
従来より、冷え性に悩んでいる人は予防のために様々な対策を講じている。すなわち、起きている時の対策としては、例えば、厚着をする、厚手の靴下やレッグウォーマーを履く、カイロや足温器を使う等がある。また、足裏を刺激することにより体を温める足裏健康器具も知られている（特許文献１参照。）。就寝時の対策としては、これらに加えて、湯たんぽを使うこともある。
【先行技術文献】
【特許文献】
【０００３】
【特許文献１】特許第４３６９４５１号明細書
【考案の概要】
【考案が解決しようとする課題】
【０００４】
しかしながら、従来の冷え性対策は、もっぱら、体の一部または全体を保温し、あるいは、発熱体を体の一部に接触あるいは接近させるものであり、必ずしも簡便なものではなく、あるいは、電気を使用するため使用可能な場所が限られるだけでなく、電気代もかかり、エコ社会の実現にもそぐわず、カイロは低温火傷の危険性もあるといった点で必ずしも満足の行くものではなかった。
【０００５】
そこで、この考案が解決しようとする課題は、簡便に使用することができ、電気を使わないため使用場所を問わず、どこでも使用することができ、電気代もかからず、エコ社会の実現に資するだけでなく、低温火傷の危険性もなく、人や動物の健康回復を行うことができる健康器具を提供することである。
【課題を解決するための手段】
【０００６】
本考案者は、鋭意研究を行う中で、本考案者が従来より抗酸化機能を持たせるために使用している抗酸化溶液を使って基材にコーティングを行ったものを人の手足や首に接触または接近させる実験を行った結果、体温を上昇させる効果があることを見出し、この考案を案出するに至った。そのような効果が得られるメカニズムは現時点では不明であるが、後述のように、抗酸化溶液を使ってコーティングを行った基材は、抗酸化溶液を使ったコーティングを行わない基材と同等の放射率（全放射率）を有することを考慮すると、抗酸化溶液に含まれる抗酸化剤から特定の波長の赤外線が放射され、それが体の細胞あるいは細胞小器官（ミトコンドリア等）に共振を引き起こす等、何らかの形で活性化を行っていることが考えられる。
【０００７】
すなわち、上記課題を解決するために、この考案は、
基材と、
少なくとも抗酸化溶液を含むコーティング剤を用いて上記基材の表面および内部の少なくとも一部に形成されたコーティング層と
を有することを特徴とする健康器具である。
【０００８】
コーティング層は、典型的には、抗酸化溶液と必要な他の成分、例えば糊等の接着剤とを混合したコーティング剤を基材の表面の少なくとも一部に塗布もしくは印刷し、または、基材の少なくとも一部に含浸させた後、乾燥することにより形成されるが、これに限定されるものではなく、他の形成方法を用いてもよい。コーティング層は、基材の表面の全体に形成されてもよいし、基材の表面の主たる部分だけに形成されてもよいし、一部だけに形成されてもよいし、基材の内部に空隙を有する場合には、基材の内部の全体に形成されてもよいし、基材の内部の主たる部分だけに形成されてもよいし、基材の内部の一部だけに形成されてもよい。
【０００９】
基材は、コーティングを行うことが可能であれば特に限定されず、健康器具の用途等に応じて適宜選ばれるが、例えば、紙、布、プラスチック、ゴム、金属、セラミックス、石またはそれらのうちの二つ以上を複合させたものであり、フレキシブルなものであってもなくてもよい。基材のサイズ（長さ、幅、奥行、厚さ等）や形状も特に限定されず、健康器具の用途等に応じて適宜選ばれる。基材の形状は、例えば、多角形（三角形、四角形（正方形、長方形等）、五角形、六角形等）、円形、楕円形等のほか、これらの一部または全部を変形した形状等である。基材は、バンド状の形状を有するようにしてもよく、この場合は、コーティング層が形成された基材を手足または首に巻き付けて使用することができる。基材は、カード状の形状を有するようにしてもよく、この場合は、コーティングされた基材を手で持って体の一部に当てたり、このコーティングされた基材を床に置き、その上に足の裏を載せたりすることができる。
【００１０】
健康器具は、様々なものが考えられ、特に限定されないが、具体例を挙げると、ベッドパッド、シーツ、毛布、蒲団、枕、腹巻、腕輪、ネックレス、ペンダント、靴、スリッパ、靴の中敷き、靴下、レッグウォーマー等である。健康器具は、人が使用するものに限定されず、犬や猫等の動物が使用するものであってもよい。
【考案の効果】
【００１１】
この考案によれば、この健康器具を人や動物の体の一部に接触あるいは接近させることにより、少なくともその部位の体温を上昇させることができ、ひいては人や動物の健康回復を行うことができる。この健康器具は、簡便に使用することができ、電気を使わないため使用場所を問わず、どこでも使用することができ、電気代もかからず、エコ社会の実現に資するだけでなく、低温火傷の危険性もない。
【図面の簡単な説明】
【００１２】
【図１】第１の実施の形態による健康器具を示す上面図、裏面図、側面図および部分拡大断面図である。
【図２】実施例１の健康器具を示す図面代用写真である。
【図３】実施例１の健康器具を人の腕に取り付けた様子を示す図面代用写真である。
【図４】第２の実施の形態による健康器具を示す上面図、縦断面図および部分拡大断面図である。
【図５】実施例２の健康器具を示す図面代用写真である。
【考案を実施するための形態】
【００１３】
以下、考案を実施するための形態（以下「実施の形態」とする）について説明する。
【００１４】
〈第１の実施の形態〉
［健康器具］
図１Ａ、Ｂ、ＣおよびＤは第１の実施の形態による健康器具を示し、それぞれ上面図、底面図、側面図および部分拡大断面図である。
【００１５】
図１Ａ、ＢおよびＣに示すように、この健康器具は、細長い長方形の平面形状を有する偏平なバンド１０の一端部の上面に固定具２０が取り付けられ、バンド１０の他端部の裏面に固定具３０が取り付けられたものである。固定具２０、３０は、この健康器具の使用時に、手足や首にバンド１０を巻き付けて固定するためのものであり、バンド１０を巻き付けることにより固定具２０と固定具３０とを重ねて互いに結合する。固定具２０、３０は特に限定されないが、例えば、マジックテープ（登録商標）、磁石等を用いることができる。
【００１６】
図１Ｄに示すように、このバンド１０は、基材１１とこの基材１１に形成されたコーティング層１２とからなる。図１Ｄにおいては、この基材１１の表面にコーティング層１２が形成されている様子が示されているが、この基材１１が空隙を有するもの、例えば繊維からなる布、紙等である場合は、この基材１１の内部、言い換えると空隙の表面にコーティング層１２が形成される。また、例えば、基材１１が複数の基材を張り合わせたもの等である場合は、それらの張り合わせ面にコーティング層１２が形成されることもある。また、基材１１のうちコーティング層１２を形成する部分はこの健康器具の用途等に応じて決められるが、基材１１の表面または内部の少なくとも一部、好適には主たる部分、典型的には、全部に形成される。基材１１は、既に挙げたものの中から必要に応じて選ばれる。コーティング層１２には、少なくとも、抗酸化溶液に含まれていた抗酸化剤が含まれ、典型的にはこれに加えて必要な他の成分、例えば糊等の接着剤の成分も含まれる。
【００１７】
基材１１あるいはバンド１０の寸法は、この健康器具の用途等に応じて適宜選ばれる。例えば、バンド１０を人の腕または手首に巻き付けて使用するタイプの健康器具では、基材１１あるいはバンド１０は、長さ１０〜３０ｃｍ、幅０．５〜２ｃｍ、厚さ０．３〜２ｍｍである。バンド１０を人の足または足首に巻き付けて使用するタイプの健康器具では、基材１１あるいはバンド１０は、長さ２０〜５０ｃｍ、幅０．５〜３ｃｍ、厚さ０．３〜２ｍｍである。バンド１０を人の首に巻き付けて使用するタイプの健康器具では、基材１１あるいはバンド１０は、長さ２０〜６０ｃｍ、幅０．５〜３ｃｍ、厚さ０．３〜２ｍｍである。
【００１８】
［健康器具の製造方法］
所要の寸法の基材１１を用意し、少なくとも抗酸化溶液、典型的にはこれに加えて糊等を含むコーティング剤をこの基材１１の表面に塗布もしくは印刷し、あるいは、この基材１１に含浸させる。その後、こうしてコーティング剤を塗布、印刷、含浸等させた基材１１を常温またはより高い温度で乾燥させ、コーティング剤に含まれる液体成分を除去することによりバンド１０を製造する。この後、バンド１０の一端部の上面に固定具２０を、他端部の裏面に固定具３０を形成し、目的とするバンド状の形状を有する健康器具を製造する。
【００１９】
［実施例１］
ポリエステル繊維を密に織り込んだ長さ２２ｃｍ、幅１．８ｃｍ、厚さ０．２ｍｍの山吹色のポリエステル製の布を２枚用意した。別途、抗酸化溶液と糊とを混合したコーティング剤を用意した。抗酸化溶液としては、ＡＳＫ株式会社が製造販売している抗酸化溶液を用いた。１枚のポリエステル製の布の片面にコーティング剤を刷毛で塗布した後、その面にもう１枚のポリエステル製の布の片面を張り合わせ、常温で乾燥させた。乾燥によって、抗酸化溶液に含まれていた抗酸化剤と糊の成分とからなるコーティング層が２枚のポリエステル製の布の張り合わせ面に形成された。このコーティング層は、張り合わせ面の両側のポリエステル製の布の表面および繊維間の空隙の表面に形成されている。その後、こうして作製された、２枚のポリエステル製の布からなる厚さ約０．４５ｍｍのバンドの一端部の上面および他端部の裏面に固定具としてそれぞれ長さ３ｃｍ、幅１ｃｍのマジックテープ（登録商標）を接着した。こうして、図２に示すように、目的とするバンド状の健康器具を製造した。
【００２０】
このバンドの放射率（全放射率）の評価のために、このバンドと同様の方法で作製された１１ｃｍ×１１ｃｍのサイズのシート状の測定サンプルを三つ作製した。比較のために、抗酸化溶液と糊とを混合したコーティング剤の代わりに、抗酸化溶液を含まない糊だけのコーティング剤を用いて同様の方法で同様のサイズのシート状の測定サンプルを三つ作製した。これらの六つの測定サンプルについて放射率の測定を行った。放射率の測定にはジャパンセンサー株式会社製の放射率測定器を用いた。測定環境は、温度約２５．６〜２６℃、湿度約４１％であった。測定に際しては、事前に放射率基準片を用いて較正を行った。較正を行った後、測定台上に置いた測定サンプルに上方から検出ヘッドを載せ、放射率測定器のディスプレイに表示される放射率の値が安定した後にその数値を読み取った。測定は各測定サンプルについて合計４回行った。その結果、抗酸化溶液と糊とを混合したコーティング剤を用いて作製した測定サンプルも、抗酸化溶液を含まない糊だけのコーティング剤を用いて作製した測定サンプルも、放射率は０．８５前後であり、両者に有意差は見られなかった。このことは、これらの２種の測定サンプルは、表面からの放射のしやすさには差異がないことを意味する。
【００２１】
上述のようにして製造した健康器具を、自身が冷え性であると感じている５人の被験者が腕に巻き付けて使用した結果、いずれの被験者からも、体が暖かくなり、快適になったとの評価が得られた。健康器具を腕に巻き付けた様子を図３に示す。
【００２２】
以上のように、この第１の実施の形態による健康器具によれば、人や動物の手足や首等にバンド１０を巻き付けて手足や首等に接触あるいは接近させることによって、少なくとも、バンド１０が接触あるいは接近した部位の体温を上昇させることができ、ひいては人や動物の健康回復を行うことができる。この健康器具は、使用時に手足や首等にバンド１０を巻き付けるだけでよいので、簡便に使用することができる。また、この健康器具は、電気を使わないため使用場所を問わず、どこでも使用することができ、電気代もかからず、二酸化酸素の排出も伴わないためエコ社会の実現に資する。また、カイロを使用する場合のような低温火傷の危険性もない。
【００２３】
〈第２の実施の形態〉
［健康器具］
図４Ａ、ＢおよびＣは第２の実施の形態による健康器具を示し、それぞれ上面図、縦断面図および部分拡大断面図である。
【００２４】
図４ＡおよびＢに示すように、この健康器具は、長方形の平面形状を有する偏平なカード５０の表面が透明なラミネートフィルム６０で覆われたもので、全体としてカード状の形状を有する。ラミネートフィルム６０はカード５０を保護するためのものである。
【００２５】
図４Ｃに示すように、カード５０は、基材５１とこの基材５１に形成されたコーティング層１２とからなる。図４Ｃにおいては、この基材５１の表面にコーティング層５２が形成されている様子が示されているが、この基材５１が空隙を有するもの、例えば繊維からなる布、紙等である場合は、この基材５１の内部、言い換えると空隙の表面にコーティング層５２が形成される。また、例えば、基材５１が複数の基材を張り合わせたもの等である場合は、それらの張り合わせ面にコーティング層５２が形成されることもある。また、基材５１のうちコーティング層５２を形成する部分はこの健康器具の用途等に応じて決められるが、基材５１の表面または内部の少なくとも一部、好適には主たる部分、典型的には、全部に形成される。基材５１は、既に挙げたものの中から必要に応じて選ばれる。コーティング層５２には、少なくとも、抗酸化溶液に含まれていた抗酸化剤が含まれ、典型的にはこれに加えて必要な他の成分、例えば糊等の接着剤の成分も含まれる。
【００２６】
基材５１あるいはカード５０の寸法は、この健康器具の用途等に応じて適宜選ばれる。例えば、健康器具を手で持って人の手足や首に当てて使用するタイプの健康器具では、基材５１あるいはカード５０は、長さ３〜６ｃｍ、幅３〜１０ｃｍ、厚さ０．２〜２ｍｍである。また、この健康器具を床等に置き、その上に足を載せて使用するタイプの健康器具では、基材５１あるいはカード５０は、長さ２０〜５０ｃｍ、幅１０〜３０ｃｍ、厚さ０．２〜２ｍｍである。
【００２７】
［健康器具の製造方法］
所要の寸法の基材５１を用意し、少なくとも抗酸化溶液を含むコーティング剤をこの基材５１の表面に塗布もしくは印刷し、あるいは、この基材５１に含浸させる。その後、こうしてコーティング剤を塗布、印刷、含浸等させた基材５１を常温またはより高い温度で乾燥させ、コーティング剤に含まれる液体成分を除去することによりカード５０を製造する。この後、カード５０の表面をラミネートコーティングによりラミネートフィルム６０で覆い、目的とするカード状の形状を有する健康器具を製造する。
【００２８】
［実施例２］
長さ９ｃｍ、幅５．５ｃｍ、厚さ０．１５ｍｍの表面が金色の紙を２枚用意した。別途、抗酸化溶液と糊とを混合したコーティング剤を用意した。抗酸化溶液としては、ＡＳＫ株式会社が製造販売している抗酸化溶液を用いた。用意した２枚の紙をコーティング剤により張り合わせた後、常温で乾燥させた。乾燥によって、抗酸化溶液に含まれていた抗酸化剤と糊の成分とからなるコーティング層が張り合わせ面の両側の紙の表面および繊維間の空隙の内面に形成された。その後、こうして張り合わせられた、合計の厚さ約０．３５ｍｍの２枚の紙の表面をラミネートコーティングにより透明なラミネートフィルムで覆った。こうして、図５に示すように、目的とするカード状の健康器具を製造した。
【００２９】
この紙の放射率（全放射率）の評価のために、この紙と同様の方法で作製された１１ｃｍ×１１ｃｍのサイズのシート状の測定サンプルを三つ作製した。比較のために、抗酸化溶液と糊とを混合したコーティング剤の代わりに、抗酸化溶液を含まない糊だけのコーティング剤を用いて同様の方法で同様のサイズのシート状の測定サンプルを三つ作製した。これらの六つの測定サンプルについて実施例１と同様にして放射率の測定を行った。測定は各測定サンプルについて合計４回行った。その結果、抗酸化溶液と糊とを混合したコーティング剤を用いて作製した測定サンプルも、抗酸化溶液を含まない糊だけのコーティング剤を用いて作製した測定サンプルも、放射率は０．７７前後であり、両者に有意差は見られなかった。このことは、これらの２種の測定サンプルは、表面からの放射のしやすさには差異がないことを意味する。
【００３０】
上述のようにして製造した健康器具を、自身が冷え性であると感じている５人の被験者が手足や首に当てて使用した結果、いずれの被験者からも、体が暖かくなり、快適になったとの評価が得られた。
【００３１】
以上のように、この第２の実施の形態による健康器具によれば、人や動物の手足や首等にこの健康器具を当て、あるいは、この健康器具の上に足を載せたりして手足や首等にこの健康器具を接触あるいは接近させることによって、少なくとも、この健康器具が接触あるいは接近した部位の体温を上昇させることができ、ひいては人や動物の健康回復を行うことができる。この健康器具は、使用時に手足や首等に当て、あるいは、この健康器具の上に足を載せたりするだけでよいので、簡便に使用することができる。また、この健康器具は、電気を使わないため使用場所を問わず、どこでも使用することができ、電気代もかからず、二酸化酸素の排出も伴わないためエコ社会の実現に資する。また、カイロを使用する場合のような低温火傷の危険性もない。
【００３２】
以上、この考案の実施の形態および実施例について具体的に説明したが、この考案は上述の実施の形態および実施例に限定されるものではなく、この考案の技術的思想に基づく各種の変形が可能である。
【００３３】
例えば、上述の実施の形態および実施例において挙げた数値、構成、形状、材料、方法等はあくまでも例に過ぎず、必要に応じてこれらと異なる数値、構成、形状、材料、方法等を用いてもよい。
【符号の説明】
【００３４】
１０…バンド、１１…基材、１２…コーティング層、２０、３０…固定具、５０…カード、５１…基材、５２…コーティング層、６０…ラミネートフィルム
【図１】
0003202895.tif 000003
【図４】
0003202895.tif 000004
【図２】
0003202895.tif 000005
【図３】
0003202895.tif 000006
【図５】
0003202895.tif 000007